(57)【特許請求の範囲】
【請求項１】
ユーザーの所望する曲を検索可能なデジタル放送受信機において、
日時を管理する日時管理手段と、
複数のチャンネルを含むデジタル放送を受信する受信手段と、
該受信手段により受信したデジタル放送で放送中の曲の付加情報に含まれているリリース日が前記日時管理手段により判明する現在の日付以降である曲を放送中のチャンネルを検索する検索手段と、
該検索手段により検索したチャンネルに関する情報を表示する表示手段と、
を備えたことを特徴とするデジタル放送受信機。
【請求項２】
ユーザーの所望する曲を検索可能なデジタル放送受信機において、
日時を管理する日時管理手段と
複数のチャンネルを含むデジタル放送を受信する受信手段と、
該受信手段により受信したデジタル放送で放送中の曲の付加情報にリリース日が含まれているチャンネルを検索する検索手段と、
該検索手段により検索したチャンネルで放送中の曲が前記日時管理手段により判明する現在の日付以降の曲であるか判定する判定手段と、
該判定手段により現在の日付以降の曲を放送中であると判定したチャンネルに関する情報を表示する表示手段と、
を備えたことを特徴とするデジタル放送受信機。
【請求項３】
ユーザーの所望する曲を検索可能なデジタル放送受信機の曲検索方法において、
複数のチャンネルを含むデジタル放送を受信し、
受信したデジタル放送で放送中の曲の付加情報に含まれているリリース日が現在の日付以降である曲を検索し、
検索したチャンネルに関する情報を表示するデジタル放送受信機の曲検索方法。
【請求項４】
ユーザーの所望する曲を検索可能なデジタル放送受信機の曲検索方法において、
複数のチャンネルを含むデジタル放送を受信し、
受信したデジタル放送で放送中の曲に付加情報としてリリース日が含まれているチャンネルを検索し、
検索したチャンネルで放送中の曲が現在の日付以降の曲であるか判定し、
現在の日付以降の曲を放送中であると判定したチャンネルに関する情報を表示するデジタル放送受信機の曲検索方法。
【発明の詳細な説明】
【０００１】
【発明の属する技術分野】
本発明はデジタル放送受信機に係り、特にリリース日が現在より先の曲を放送中のチャンネルを検索しユーザーに通知するデジタル放送受信機に関する。
【０００２】
【従来の技術】
近年、放送のデジタル化技術の進歩により多種多様なチャンネルによる放送がデジタル放送により可能になった。このような技術の進歩により、従来の放送形態そのものが大きく変化することになり、これに伴いユーザーは、様々な種別のチャンネルの中から所望のチャンネルを選局できるようになる。そして、デジタル放送では衛星と地上局より同じ放送を送信し、受信機側で受信状態の良好な方を随時選択して受信するようになっている。
又、近年、プロモーションの目的でリリース前の曲をラジオで放送しており、ユーザーはいち早く曲を聞きたいために放送を受信している。
【０００３】
【発明が解決しようとする課題】
しかしながら、ユーザーはどこのチャンネルでリリース前の曲を放送しているか分からないため、リリース前の曲を放送しているチャンネルを知るためには、全チャンネルを受信して視聴するか、各チャンネルの番組表を調べなければならず不便であった。
以上から、本発明の目的はリリース前の曲を放送しているチャンネルを検索し、ユーザーに通知するようにしたデジタル放送受信機を提供することである。
【０００４】
【課題を解決するための手段】
上記課題は、本発明によれば、複数のチャンネルを含むデジタル放送を受信し、受信したデジタル放送で放送中の曲の付加情報に含まれているリリース日が現在の日付以降である曲を検索し、検索したチャンネルに関する情報を表示することにより達成される。
【０００５】
【発明の実施の形態】
（Ａ）本発明の概略説明
図１は本発明の概略説明図であり、リリース日が現在の日付以降である曲を放送中のチャンネルの検索をユーザーが指示した場合の例である。図中、ＤＲはデジタル放送受信機本体、１１はリリース日が現在の日付以降である曲を放送中のチャンネルの検索を指示するための検索キー、ボリューム、好みのチャンネルをプリセットするプリセットキー等を含む操作部、１２は表示部であり、現在視聴しているチャンネルの情報を表示する領域であるＮＩＤと、リリース日が現在の日付以降である曲を放送中のチャンネルが検索された場合にこの検索されたチャンネルの情報を表示する領域であるＲＩＤを含んでいる。
【０００６】
本発明のデジタル放送受信機では、複数のチャンネルを含むデジタル放送を受信し、ユーザーは好みのチャンネルを選局し視聴する。そしてユーザーがデジタル放送受信機ＤＲの操作部１１より検索を指示すると、他のチャンネルで放送中の曲の付加情報に含まれているリリース日が現在の日付以降である曲を検索し、その結果、リリース日が現在の日付以降である曲を放送中のチャンネルが検索された場合、そのチャンネルに関する情報を表示部１２に表示する。
これにより、どこのチャンネルでリリース日が現在の日付以降である曲を放送中であるかを通知することができる。
【０００７】
（Ｂ）本発明の第１実施例
（ａ）デジタル放送受信機の構成
図２は本発明のデジタル放送受信機の構成図である。図中１ａは衛星からのデジタル放送を受信するアンテナ、１ｂは地上からのデジタル放送を受信するアンテナ、２はアンテナ１ａ、１ｂを介して受信した信号から受信状態の良好な信号を選択し、所望の受信チャンネル情報を抽出すると共に、この抽出した信号を出力するチューナー部（Ｔｕｎｅｒ）、３はチューナー部２より出力された信号をデジタルデータに変換後、所定の復調処理を行いインタリーブされた受信データを復調する信号復調部である。
【０００８】
４は信号復調部３から出力される送信データのインタリーブを解いて元のデータ列に戻し、その後所定の誤り訂正処理を行って複数のチャンネルに対応するチャンネル情報等を含むチャンネルデータを復元して、後述する制御部９からの指示に基づきユーザーの選択する１つのチャンネルに対応するチャンネル情報を抽出して出力するチャンネル選択部である。
【０００９】
５はチャンネル選択部４より出力されるチャンネル情報に対して所定の伸長処理を行い、ＰＣＭオーディオデータを出力するオーディオデコード部、６はオーディオデコード部５より出力されるＰＣＭオーディオデータをアナログ信号に変換して出力するデジタル・アナログ変換部（Ｄ／Ａ変換部）である。
【００１０】
７はデジタル・アナログ変換部６より出力されるアナログ信号を所定の増幅率で増幅するアンプ、８はアンプ７により増幅されたアナログ信号に対応する音声を出力するスピーカ、９はデジタル放送受信機全体を制御する制御部、１０は放送を録音するためのストレージであり、例えばミニディスク装置、１１はユーザーがリリース日が現在の日付以降である曲を検索する操作やチャンネル切替操作等の操作を行うための各種キーを備えている操作部、１２はリリース日が現在の日付以降である曲を放送中のチャンネルの情報や現在受信しているチャンネルのチャンネル名等を表示する表示部である。
【００１１】
９ａはシステムコントローラであり、操作部１１からのチャンネル選択や、リリース日が現在の日付以降である曲を放送中のチャンネル検索指示を処理し、リリース日が現在の日付以降である曲を放送中のチャンネル検索を行う。９ｂは現在の日時を管理するカレンダー制御部、９ｃはプリセットされたチャンネル等を記憶するメモリ、９ｄはリリース日が現在の日付以降である曲を放送中のチャンネル情報等の各種画面を表示部１２に表示するための制御を行う表示制御部である。
【００１２】
（ｂ）本発明第１実施例のデジタル放送のデータ構成
図３は本発明第１実施例におけるデジタル放送のデータ構成の一例を示す図であり、曲のリリース日のデータが格納される領域が用意されている場合である。図に示すように、複数のチャンネルが１つのデジタル放送信号の中に多重化され、所定のフレーム単位で送信されている。１つのチャンネルは、音楽番組であれば音楽データと番組付加情報とからなり、番組付加情報には、番組名、アーティスト名、タイトル、放送中の曲が収録されているアルバムを示すアルバム名、曲のカテゴリー、曲のリリース日の情報、例えば「２００１／６／１」等のデータが含まれている。
【００１３】
（ｃ）本発明第１実施例のフローチャート
図４は本発明第１実施例のフローチャートである。まず、システムコントローラ９ａ（図２）が操作部１１の検索ボタンが押下されたか否かを判定し（ステップ１０１）、押下されていなければ特に処理は行わない。一方、押下された場合は、受信しているデジタル放送よりシステムコントローラ９ａが各チャンネルの番組付加情報中のリリース日を参照し、リリース日がカレンダー制御部９ｂより判別する現在の日付以降の曲を放送しているチャンネルを検索する（ステップ１０２）。
【００１４】
ついで、ステップ１０２の検索結果よりシステムコントローラ９ａはリリース日が現在の日付以降の曲を放送しているチャンネルがあったか否かを判定し（ステップ１０３）、あった場合は検索されたチャンネルの情報、例えば番組名や曲のタイトルを表示部１２に図１に示すように表示する（ステップ１０４）。一方、なかった場合は該当するチャンネルがない旨を表示部１２に表示する（ステップ１０５）。
【００１５】
（Ｂ）本発明の第２実施例
（ａ）デジタル放送受信機の構成
本実施例のデジタル放送受信機の構成は図２と同様である。
【００１６】
（ｂ）本発明第２実施例のデジタル放送のデータ構成
図５は本発明第２実施例におけるデジタル放送のデータ構成の一例を示す図であり、曲のリリース日のデータが格納される領域が用意されておらず、コメントが格納される領域にリリース日の情報が入力されている場合である。
図に示すように、複数のチャンネルが１つのデジタル放送信号の中に多重化され、所定のフレーム単位で送信されている。１つのチャンネルは、音楽番組であれば音楽データと番組付加情報とからなり、番組付加情報には、番組名、アーティスト名、タイトル、放送中の曲が収録されているアルバムを示すアルバム名、曲のカテゴリー、曲に関するコメント、例えば、「リリース日：２００１／６／１」等のデータが含まれている。
【００１７】
（ｃ）本発明第２実施例のフローチャート
図６は本発明第２実施例のフローチャートである。まず、システムコントローラ９ａ（図２）が操作部１１の検索ボタンが押下されたか否かを判定し（ステップ２０１）、押下されていなければ特に処理は行わない。一方、押下された場合は、受信しているデジタル放送よりシステムコントローラ９ａが各チャンネルの番組付加情報中のコメントを参照し、「リリース日」が入力されている曲を放送中のチャンネルを検索する（ステップ２０２）。
【００１８】
ついで、ステップ２０２の検索結果よりシステムコントローラ９ａが該当するチャンネルがあったか否かを判定し（ステップ２０３）、該当するチャンネルが合った場合は該当するチャンネルの情報をメモリ９ｃに記憶する（ステップ２０４）。次に、メモリ９ｃに記憶したチャンネルの情報から更に、日付がカレンダー制御部９ｂより判別する現在の日付以降の曲を放送中のチャンネルを検索し（ステップ２０５）、検索した結果、該当するチャンネルがあったか否かをシステムコントローラ９ａが判定する（ステップ２０６）。ついで、該当するチャンネルがあった場合は検索されたチャンネルの情報、例えば番組名や曲のタイトルを表示部１２に図１に示すように表示し（ステップ２０７）、一方、なかった場合はチャンネルがない旨を表示部１２に表示する（ステップ２０８）。ステップ２０３において、該当するチャンネルがなかった場合はチャンネルがない旨を表示部１２に表示する（ステップ２０７）。
【００１９】
尚、上記実施例ではステップ２０２においてコメントに「リリース日」と入力されているチャンネルを検索しているが、これに限らず「発売日」、「Ｒｅｌｅａｓｅ」等の「リリース日」と関連する言葉を検索することも可能である。
【００２０】
【発明の効果】
以上、本発明によれば、複数のチャンネルを含むデジタル放送を受信し、受信したデジタル放送で放送中の曲の付加情報に含まれているリリース日が現在の日付以降である曲を検索し、検索したチャンネルに関する情報を表示するのでユーザーはリリース前の曲を放送しているチャンネルを簡単に知ることができる。
【図面の簡単な説明】
【図１】本発明の概略説明図である。
【図２】本発明のデジタル放送受信機の構成図である。
【図３】本発明第１実施例のデジタル放送のデータ構成である。
【図４】本発明第１実施例のフローチャートである。
【図５】本発明第２実施例のデジタル放送のデータ構成である。
【図６】本発明第２実施例のフローチャートである。
【符号の説明】
ＤＲ・・デジタル放送受信機
１１・・操作部
１２・・表示部
ＲＩＤ・・現在の日付以降である曲を放送中のチャンネル情報を表示する領域
【図１】
0004244109.tif 000002
【図２】
0004244109.tif 000003
【図３】
0004244109.tif 000004
【図４】
0004244109.tif 000005
【図５】
0004244109.tif 000006
【図６】
0004244109.tif 000007